【事件の表示】
　特願２００２−２７５２２４「撮像装置」拒絶査定不服審判事件〔平成１６年　４月　８日出願公開、特開２００４−１１２６３５〕について、次のとおり審決する。
【結　論】
　本件審判の請求は、成り立たない。
【理　由】
第一　経緯
１　手続
　本願は、平成１４年９月２０日の出願であって、平成１７年１２月１日付けで拒絶査定された。
　本件は、本願についてされた上記拒絶査定を不服とする平成１８年１月５日の審判請求である。
　
２　査定
　原査定の理由は概略、以下のとおりである。
　
　　　　　　　　　　　　　　　理　由
　本願の請求項１ないし８に係る発明は、下記刊行物１に記載された発明に基づいて当業者が容易に発明をすることができたものであるから、特許法第２９条第２項の規定により特許を受けることができない。
　
　　　　　　　　　　　　　　　　記
刊行物１：特開２００１−３３９６０６号公報
　
　
第二　本願発明
　本願の請求項１〜８に係る発明は、平成１７年６月７日付け手続補正書により補正された特許請求の範囲の請求項１〜８に記載される発明のとおりであるところ、そのうち請求項１に係る発明（以下「本願発明」という）は、平成１７年６月７日付け手続補正書により補正された特許請求の範囲の請求項１に記載される事項により特定される、以下のとおりのものである。
　
　「画像データを生成する撮像手段と、
　第１の色空間または前記第１の色空間と異なる第２の色空間に従って前記画像データを調整する画像処理手段とを有し、
　前記画像データを前記第１の色空間に従って調整した場合は、前記画像データの画像ファイルを前記第１の色空間に対応する第１の画像ファイルフォーマットに従って生成し、
　前記画像データを前記第２の色空間に従って調整した場合は、前記画像データの画像ファイルを前記第２の色空間に対応する第２の画像ファイルフォーマットに従って生成することを特徴とする撮像装置。」
　
　
第三　当審の判断
１　刊行物
（１）刊行物１の記載
　原査定の拒絶の理由に引用された刊行物１（特開２００１−３３９６０６号公報）には、図面と共に、下記の記載がある。
　
ア「図１に、本発明を利用するデジタルフォトプリンタの一実施例のブロック図が示される。図１に示されるデジタルフォトプリンタ（以下、単にフォトプリンタとする）１０は、基本的に、スキャナ（画像読取装置）１２と、画像処理装置１４と、プリンタ（画像焼付／現像装置）１６と、ファイル出力部１７とを有する。・・・」（段落【００１９】）
　
イ「スキャナ１２は、フィルムＦ等に撮影された画像を１コマずつ光電的に読み取る装置で、白色の光源２２と、可変絞り２４と、色フィルタ板２６と、フィルムＦに入射する読取光をフィルムＦの面方向で均一にする拡散ボックス２８と、結像レンズユニット３２と、エリアＣＣＤセンサ３４（以下、ＣＣＤセンサ３４とする）と、アンプ（増幅器）３６と、Ａ／Ｄ（アナログ／デジタル）変換器３８とを有する。」（段落【００２０】）
　
ウ「このようなスキャナ１２において、フィルムＦに撮影された画像を読み取る際には、光源２２から射出され、可変絞り２４によって光量調整された読取光が、色フィルタ板２６に入射して調光され、拡散ボックス２８で拡散された後、キャリアによって所定の読取位置に保持されたフィルムＦに入射して、透過することにより、フィルムＦに撮影された画像を担持する投影光を得る。この投影光は、結像レンズユニット３２によってＣＣＤセンサ３４の受光面に結像され、フィルムＦに撮影された画像が光電的に読み取られる。ＣＣＤセンサ３４の出力信号は、アンプ３６で増幅され、Ａ／Ｄ変換器３８でデジタル信号とされて、画像処理装置１４に送られる。」（段落【００２２】）
　
エ「このようにして画像処理を施された画像データは、プレスキャンデータはデータ変換部７０に、ファインスキャンデータはデータ変換部７４およびデータ変換部７６の少なくとも一方に、それぞれ送られる。各データ変換部は、３Ｄ（三次元）−ＬＵＴ等を用いて、画像データを出力先の色空間に対応する画像データに変換する部位で、データ変換部７０は、プレスキャンデータをディスプレイ２０による表示に対応する画像データに、データ変換部７４は、ファインスキャンデータを出力色変換処理してプリンタ１６による画像記録に対応する出力画像データに、さらにデータ変換部７６は、ファインスキャンデータを出力色変換処理して画像ファイルとしての出力に対応する出力画像データに、それぞれ変換する。」（段落【００４１】）
　
オ「プレスキャン処理部５６のデータ変換部７０で処理された画像データはディスプレイ２０に、他方、ファインスキャン処理部５８のデータ変換部７４で処理された画像データはプリンタ１６に、同データ変換部７６で処理された画像データは、画像フォーマット処理部７８を経てファイル出力部１７に、それぞれ送られる。」（段落【００４２】）
　
カ「画像フォーマット処理部７８は、データ変換部７６で画像ファイルに対応して変換された画像データを処理して、画像フォーマット処理した画像データとする部位である。本発明において、画像フォーマットには、特に限定はなく、Ｆｌａｓｈ  Ｐｉｘ、ＪＰＥＧ、ＪＰＥＧ（Ｅｘｉｆ）、ＪＰＥＧ２０００、ビットマップデータ等、公知の画像フォーマットが各種利用可能である。また、画像フォーマットとする処理も、画像フォーマットに応じて、公知の方法で行えばよい。」（段落【００４５】）
　
キ「本発明においては、必要に応じて、プリントの出力に対応するデータ変換部７４とプリンタ１６との間にも、画像フォーマット処理部７８を配置してもよい。例えば、データ変換部７４で変換されたプリント出力用画像データを、通信ネットワーク等を用いて（一台もしくは複数台の）プリンタ１６に供給する場合には、転送速度、インフラストラクチャーの有効利用、能力の低いインフラストラクチャーでも利用可能になる等の点で、画像データを画像フォーマット処理した方が有利である。なお、この構成において、画像フォーマット処理が不要な場合は、画像フォーマット処理部をスルーして出力画像データをそのままプリンタ１６に供給すればよい。」（段落【００４６】）
　
ク「・・・すなわち、画像フォーマット処理部７８では、ファイル出力に最適な画像フォーマット変換、あるいはさらに圧縮を行い、データ変換部７４に画像フォーマット処理部が接続された場合には、ここでは、プリント出力に最適な画像フォーマット変換、あるいはさらに圧縮を行うように構成してもよい。」（段落【００４９】）
　
ケ「画像フォーマット処理部７８で画像フォーマット処理された画像データは、ファイル出力部１７に出力される。ファイル出力部１７は、この画像データを画像ファイルとして画像データの記録媒体に記録（出力）する部位であり、記録媒体のドライブを備える。なお、ファイル出力部１７は、出力画像データを画像ファイルとしてインターネット等の通信網（図示せず）を介して配信する機能（通信手段）を備えていても良いし、外部の高解像度のディスプレイ（図示せず）に表示するために送信する機能や、他のタイプ（図示せず）の（例えば、再現色空間などが異なる）プリンタに送信する機能等を有していても良い。・・・。」（段落【００５０】
　
コ「・・・なお、出力色変換部８８は、プリントの色空間のプリント出力用画像データを画像ファイルの色空間のファイル出力用画像データに変換するための部分で、図２に示すデータ変換部７６と類似の機能を持つものである。・・・」（段落【００８２】）
　
（２）刊行物１に記載された発明
ア　デジタルフォトプリンタ
　上記（１）アによれば、刊行物１には、デジタルフォトプリンタが記載されているといえる。
　
イ　スキャナ
　上記（１）イ〜ウによれば、刊行物１には、ＣＣＤセンサで光学的に読み取られた画像をデジタル信号に変換し、画像データを出力するスキャナが記載されているといえる。
　
ウ　データ変換部
　上記（１）オには、「ファインスキャン処理部５８のデータ変換部７４で処理された画像データはプリンタ１６に、同データ変換部７６で処理された画像データは、画像フォーマット処理部７８を経てファイル出力部１７に、それぞれ送られる。」という記載があり、また、上記（１）エには、「各データ変換部は、３Ｄ（三次元）−ＬＵＴ等を用いて、画像データを出力先の色空間に対応する画像データに変換する部位で、・・・データ変換部７４は、ファインスキャンデータを出力色変換処理してプリンタ１６による画像記録に対応する出力画像データに、さらにデータ変換部７６は、ファインスキャンデータを出力色変換処理して画像ファイルとしての出力に対応する出力画像データに、それぞれ変換する。」という記載がある。さらに、上記（１）コには、ファイル出力の色空間とプリンタの色空間が異なることが示唆されている。以上を総合勘案すると、刊行物１には、ファイル出力の色空間または前記ファイル出力の色空間と異なるプリンタの色空間に対応するように前記画像データを変換する画像データ変換部が記載されているといえる。
　
エ　ファイル出力
　上記（１）オ〜ケによれば、データ変換部７６で変換された場合には、画像フォーマット処理部７８は、前記画像データをファイル出力に最適な画像フォーマット変換して出力しており、上記（１）エによれば、データ変換部７６は、前記画像データをファイル出力の色空間に対応するように変換している。以上によれば、刊行物１では、（データ変換部７６で）前記画像データを前記ファイル出力部の色空間に対応して変換した場合は、（画像フォーマット処理部７８で）前記画像データをファイル出力に最適な画像フォーマット変換して出力しているといえる。
　
オ　プリンタ出力
　上記（２）エでの検討に加え、上記（１）キの「必要に応じて、プリントの出力に対応するデータ変換部７４とプリンタ１６との間にも、画像フォーマット処理部７８を配置してもよい。」という記載、上記（１）クの「データ変換部７４に画像フォーマット処理部が接続された場合には、ここでは、プリント出力に最適な画像フォーマット変換、あるいはさらに圧縮を行うように構成してもよい。」という記載を勘案すれば、刊行物１では、前記画像データを前記プリンタの色空間に対応するように変換した場合は、前記画像データをプリンタ出力に最適な画像フォーマット変換して出力しているといえる。
　
カ　まとめ
　上記ア〜オによれば、上記刊行物１に記載された発明（以下「刊行物１発明」という）として、以下のとおりのものを認定することができる。
　
「ＣＣＤセンサで光学的に読み取られた画像をデジタル信号に変換し、画像データを出力するスキャナと、
　ファイル出力の色空間または前記ファイル出力の色空間と異なるプリンタの色空間に対応するように前記画像データを変換する画像データ変換部とを有し、
　前記画像データを前記ファイル出力部の色空間に対応するように変換した場合は、前記画像データをファイル出力に最適な画像フォーマット変換して出力し、
　前記画像データを前記プリンタの色空間に対応するように変換した場合は、前記画像データをプリンタ出力に最適な画像フォーマット変換して出力するデジタルフォトプリンタ。」
　
２　対比
　本願発明と刊行物１発明とを対比する。
（１）撮像装置
　刊行物１発明の「デジタルフォトプリンタ」は、ＣＣＤセンサで光学的に読み取られた画像をデジタル信号に変換し、画像データを出力するスキャナを含むものであるから、本願発明の「撮像装置」に相当する。
　
（２）撮像手段
　刊行物１発明の「ＣＣＤセンサで光学的に読み取られた画像をデジタル信号に変換し、画像データを出力するスキャナ」は、本願発明の「画像データを生成する撮像手段」に相当する。
　
（３）画像処理手段
　刊行物１発明の「ファイル出力の色空間」、「前記ファイル出力の色空間と異なるプリンタの色空間」は、それぞれ、本願発明の「第１の色空間」、「前記第１の色空間と異なる第２の色空間」に相当する。また、刊行物１発明の「色空間に対応するように前記画像データを変換する」は、本願発明の「色空間に従って前記画像データを調整する」に実質的に相当するものである。よって、刊行物１発明の「ファイル出力の色空間または前記ファイル出力の色空間と異なるプリンタの色空間に対応するように前記画像データを変換する画像データ変換部」は、本願発明の「第１の色空間または前記第１の色空間と異なる第２の色空間に従って前記画像データを調整する画像処理手段」に実質的に相当する。
　
（４）第１の画像ファイルフォーマット
　上記（３）のように、刊行物１発明の「ファイル出力の色空間」は、本願発明の「第１の色空間」に相当するものであり、刊行物１発明の「ファイル出力の色空間に対応するように前記画像データを変換する」は、本願発明の「第１の色空間に従って前記画像データを調整する」に実質的に相当するものであるから、刊行物１発明の「前記画像データを前記ファイル出力部の色空間に対応するように変換した場合は」は、本願発明の「前記画像データを前記第１の色空間に従って調整した場合は」に相当する。
　そして、上記（１）カの「画像フォーマットには、特に限定はなく、Ｆｌａｓｈ  Ｐｉｘ、ＪＰＥＧ、ＪＰＥＧ（Ｅｘｉｆ）、ＪＰＥＧ２０００、ビットマップデータ等、公知の画像フォーマットが各種利用可能である。」という記載を勘案すると、刊行物１発明の「画像フォーマット」は、本願発明の「画像ファイルフォーマット」に相当するものであり、刊行物１発明の「前記画像データをファイル出力に最適な画像フォーマット変換して出力し」は、本願発明の「前記画像データの画像ファイルを（前記第１の色空間に対応する）第１の画像ファイルフォーマットに従って生成し」に実質的に相当する。
　以上を総合勘案すると、刊行物１発明の「前記画像データを前記ファイル出力部の色空間に対応するように変換した場合は、前記画像データをファイル出力に最適な画像フォーマット変換して出力し」は、本願発明の「前記画像データを前記第１の色空間に従って調整した場合は、前記画像データの画像ファイルを（前記第１の色空間に対応する）第１の画像ファイルフォーマットに従って生成し」に相当する。もっとも、刊行物１発明では、第１の画像ファイルフォーマットが「前記第１の色空間に対応する」とはされていない。相違が認められる。
　
（５）第２の画像ファイルフォーマット
　上記（４）と同様に、刊行物１発明の「前記画像データを前記プリンタの色空間に対応するように変換した場合は、前記画像データをプリンタ出力に最適な画像フォーマット変換して出力する」は、本願発明の「前記画像データを前記第２の色空間に従って調整した場合は、前記画像データの画像ファイルを（前記第２の色空間に対応する）第２の画像ファイルフォーマットに従って生成する」に相当する。もっとも、刊行物１発明では、第２の画像ファイルフォーマットが「前記第２の色空間に対応する」とはされていない。相違が認められる。
　
（６）一致点、相違点
　したがって、本願発明と刊行物１発明とは、
［一致点］
「画像データを生成する撮像手段と、
　第１の色空間または前記第１の色空間と異なる第２の色空間に従って前記画像データを調整する画像処理手段とを有し、
　前記画像データを前記第１の色空間に従って調整した場合は、前記画像データの画像ファイルを第１の画像ファイルフォーマットに従って生成し、
　前記画像データを前記第２の色空間に従って調整した場合は、前記画像データの画像ファイルを第２の画像ファイルフォーマットに従って生成することを特徴とする撮像装置。」の点で一致し、以下の点で相違している。
　
［相違点］
　本願発明では、第１の画像ファイルフォーマットが「前記第１の色空間に対応する」ものであり、第２の画像ファイルフォーマットが「前記第２の色空間に対応する」ものであるのに対し、刊行物１発明では、そのようにされていない点。
　
３　判断
（１）本願出願当時の技術水準
　本願出願当時の技術水準として、ｓＲＧＢのみに対応する画像ファイルフォーマット及びｓＲＧＢ以外の色空間にも対応することができる画像ファイルフォーマットの両者は、ともに周知であると認めることができる。
　なお、前者（ｓＲＧＢのみに対応する画像ファイルフォーマット）の例として、「ＪＥＩＤＡ規格　カメラファイルシステム規格　ＤＣＦ　Ｖｅｒｓｉｏｎ　１．０　ＪＥＩＤＡ−４９−２−１９９８　平成１０年１２月制定」が、後者（ｓＲＧＢ以外の色空間にも対応することができる画像ファイルフォーマット）の例として、「ＦｌａｓｈＰｉｘ」（必要なら、松本健太郎　他、新画像ファイルフォーマットＦｌａｓｈＰｉｘ，画像電子学会誌，１９９８年，第２７巻，第２号，ｐｐ．９８〜１０６の特に「４．５　色空間」参照）及び「電子情報技術産業協会規格　ＪＥＩＴＡ　ＣＰ−３４５１　ディジタルスチルカメラ用画像ファイルフォーマット規格　Ｅｘｉｆ　２．２　２００２年４月制定」が挙げられる。
　
（２）相違点の検討
　上記相違点について検討する。
　画像データの画像ファイルを生成する際の画像ファイルフォーマットは、画像データを調整した色空間に対応したものを適宜選択すべきものであるところ、上記技術水準を鑑みれば、ｓＲＧＢ（第１の色空間）に従って調整した場合には、ｓＲＧＢのみに対応する画像ファイルフォーマットを選択し、ｓＲＧＢ以外の色空間（第２の色空間）に従って調整した場合には、ｓＲＧＢ以外の色空間にも対応することができる画像ファイルフォーマットを選択することは当業者にとって設計的な技術事項に過ぎない。よって、第１の画像ファイルフォーマットを「前記第１の色空間に対応する」ものにし、第２の画像ファイルフォーマットを「前記第２の色空間に対応する」ものにすることは、当業者が容易に想到し得たことである。
　
４　効果等
　本願発明の作用効果は、上記刊行物１及び周知技術から当業者が予測できる範囲のものである。
　
　なお、請求人は、審判請求書の請求の理由において、本願発明は、「撮像して得た画像データの画像ファイルをその画像データの色空間に適した画像ファイルフォーマットに従って生成することができる」（効果Ａ）だけでなく、「メーカ固有情報をサポートしていないアプリケーションソフトウェアにおいてその画像データの再生を正常に行えるようにすることもできる」（効果Ｂ）という効果を奏する旨主張している。しかしながら、上記効果Ａは、上記刊行物１及び周知技術から当業者が予測できるものであり、また、上記効果Ｂは、「メーカ固有情報」と、本願発明の「第１（２）の画像ファイルフォーマット」の技術的な関連が明確でないので、特許請求の範囲の請求項１の記載に基づくものとは認められない。
　
５　まとめ
　したがって、本願発明は、上記刊行物１に記載された発明及び周知技術に基づいて当業者が容易に発明をすることができたものである。
　
　
第四　むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、本願は、残る請求項２ないし８に係る発明について検討するまでもなく、拒絶をすべきものである。
　よって、結論のとおり審決する。